(57)【特許請求の範囲】
【請求項１】
枠体状のフレームに袋状の張り地を被せることによって構成されるパネルと、天板の下方に取り付けられるパネル支持具とを具備し、このパネル支持具の一部に設定した取付部にフレームの縦枠部をスライド可能に嵌め合わせ、その嵌め合い部における保持力のみによってパネルを、スライド範囲の任意ないしほぼ任意の位置に停止、保持させ得るようにしており、前記パネル支持具に前記パネルを、天板の一辺に沿って当該天板よりも下方に垂下する第１の使用位置と、前記天板の一辺に沿って当該天板の上方に少なくとも一部を突出させる第２の使用位置との間で位置変更可能に支持させたことを特徴とするテーブル。
【請求項２】
天板が脚受けブラケットを介して脚支柱に支持されるものにおいて、前記脚受けブラケットにパネル支持具を取り付けている請求項１記載のテーブル。
【請求項３】
天板が脚受けブラケットを介して脚支柱に支持されるものにおいて、枠体状のフレームに袋状の張り地を被せることによって構成されるパネルと、天板の下方で前記脚受けブラケットに取り付けられるパネル支持具とを具備し、このパネル支持具に前記パネルを、天板の一辺に沿って当該天板よりも下方に垂下する第１の使用位置と、前記天板の一辺に沿って当該天板の上方に少なくとも一部を突出させる第２の使用位置との間で位置変更可能に支持させたことを特徴とするテーブル。
【請求項４】
パネル支持具を天板の下面よりも低い位置に配置している請求項１〜３の何れかに記載のテーブル。
【請求項５】
天板が脚支柱に支持されるものにおいて、枠体状のフレームに袋状の張り地を被せることによって構成されるパネルと、天板の下方に取り付けられるパネル支持具とを具備し、前記パネルの幅寸法を一対の脚支柱の内法寸法よりも幅狭に設定するとともに、パネル支持具の取付部を可動にしており、前記パネル支持具に前記パネルを、天板の一辺に沿って当該天板よりも下方に垂下する第１の使用位置と、前記天板の一辺に沿って当該天板の上方に少なくとも一部を突出させる第２の使用位置と、前記天板の下面にほぼ重合する収納位置との間で位置変更可能に支持させたことを特徴とするテーブル。
【請求項６】
パネル支持具が、天板の下面に固定される固定ブラケットと、この固定ブラケットに回転可能且つ回転範囲の両端で係止可能に係り合う可動ブラケットとを具備し、この可動ブラケットの一部に前記取付部を設定している請求項５記載のテーブル。
【請求項７】
パネル支持具の一部に設定した取付部にフレームの縦枠部をスライド可能に嵌め合わせ、その嵌め合い部における保持力のみによってパネルを、スライド範囲の任意ないしほぼ任意の位置に停止、保持させ得るようにしている請求項３〜６の何れかに記載のテーブル。
【請求項８】
取付部を樹脂により構成するとともに、フレームの縦枠部に樹脂製のレールを設け、これら取付部及びレールを樹脂の弾性を利用して凹凸で嵌め合わせている請求項１，２，７の何れかに記載のテーブル。
【請求項９】
パネル支持具の基端部を天板の下面に取り付け、当該パネル支持具の一部に設定した取付部を、天板の下肢空間から当該天板の縁部下方に向かって持ち出している請求項１〜８の何れかに記載のテーブル。
【請求項１０】
天板が脚支柱を介して４点でキャスタに移動可能に支持されている請求項１〜９の何れかに記載のテーブル。
【請求項１１】
天板の下方にパネル支持具を取り付け、このパネル支持具の一部に可動状態で取付部を設けて、この取付部にパネルをスライド可能に取り付け、当該パネルを、天板の下面にほぼ重合する収納位置と、天板の一辺に沿って当該天板よりも下方に垂下する第１の使用位置と、前記天板の一辺に沿って当該天板の上方に少なくとも一部を突出させる第２の使用位置との間で位置変更としたことを特徴とするテーブル。
【請求項１２】
パネル支持具の一部に設定した取付部にフレームの縦枠部をスライド可能に嵌め合わせ、その嵌め合い部における保持力のみによってパネルを、スライド範囲の任意ないしほぼ任意の位置に停止、保持させ得るようにしている請求項１１記載のテーブル。
【請求項１３】
パネル支持具が、天板の下面に固定される固定ブラケットと、この固定ブラケットに回転可能且つ回転範囲の両端で係止可能に係り合う可動ブラケットとを具備し、この可動ブラケットの一部に前記取付部を設定している請求項１２記載のテーブル。
【発明の詳細な説明】
【技術分野】
【０００１】
本発明は、少なくともデスクトップパネル及び幕板として機能するパネルを適切に付帯させたテーブルに関するものである。
【背景技術】
【０００２】
デスクのパネル装置に関し、パネル自体を取り替えずにパネル高さを変更可能にし、後付けでも天板にパネルを取り付け可能とするために、特許文献１には、正面視略四角形の枠体にスクリーン素材を張設してパネル体を形成し、前記枠体の両側縦枠部材にそれぞれ上下スライド可能にブラケット部材を取付けるとともに、該ブラケット部材にデスク天板の後端両側部に取付けるクランプ部材を固定し、前記パネル体をデスク天板の後方で上下高さ変更可能としてなるデスクパネル装置が開示されている。前記縦枠部材には、上下方向に沿って前後左右に４条の凹溝を形成し、そのうち２条の凹溝にガイド用のローラを係り合わせ、残り１条にロック用のボールプランジャを係り合わせて、パネルの移動時のガイドと停止を行うようにしている。
【０００３】
また、天板に加工が不要で、工具類を用いることなく既存の机やテーブルに適用可能な汎用性を備えたパネル支持装置として、特許文献２には、下端部に第１の連結部が形成された左右一対のフレーム形成体間にパネル形成面が設けられたパネルを天板に支持させるにあたり、前記天板の上下面を挟み込んで当該天板に装着可能な一対の装置本体と、各装置本体に設けられた第２の連結部とを備え、前記第１及び第２の連結部を相互に連結することで前記パネルを天板に支持可能としたパネル支持装置が示されている。
【先行技術文献】
【特許文献】
【０００４】
【特許文献１】特許第３９３７６１９号公報
【特許文献２】特開２００２−１５３３３３号公報
【発明の概要】
【発明が解決しようとする課題】
【０００５】
ところが、何れのものも、クランプにより天板を挟み込み、このクランプの一部にパネルを取り付けるようにしているため、着座者からクランプ等が視認されて見栄えを損ない、天板の作業面も侵されるという問題がある。
【０００６】
加えて、特許文献１のものは、パネルをレールに沿ってガイドするためにローラを用い、また所定位置に停止するためにボールプランジャを採用しているため、支持構造が複雑化するとともに、パネル取付部の露出範囲を更に大きくしているという問題がある。特許文献２では、クランプの後部にパネルをスライド可能に嵌め合わせ、その嵌め合い部における保持力でパネルを移動先に停止、保持させるようにしているが、必要な保持力を得るためにクランプが長くなると、天板上に露出するクランプの嵩が更に増えるという問題がある。
【０００７】
さらに、天板の縁部にクランプ等が位置していると、パネルと天板の縁部との間隔が必然的に開いてしまうため、隙間を極力ゼロに近づけるような構成や、必要に応じた間隔に設定することができないという不具合もある。
【０００８】
さらにまた、デスクトップパネルや幕板は一人用の執務机の空間を仕切る際に主として用いられるものであるが、かかるテーブルを複数人が利用可能なミーティングテーブルとしても活用できるようになれば、一層テーブルの使い勝手が向上すると考えられる。
【０００９】
本発明は、このような課題に着目してなされたものであって、天板の作業面を侵すことなく、着座者から見ても外観が良好な状態でパネルを位置変更可能に取り付けることができ、更には天板とパネルとの距離を適切に設定可能とするテーブルを新たに提供することと併せて、パネルの位置変更の態様をより一層拡張させたテーブルを提供することを目的としている。
【課題を解決するための手段】
【００１０】
本発明は、かかる目的を達成するために、次のような手段を講じたものである。
【００１１】
すなわち、本発明のテーブルは、枠体状のフレームに袋状の張り地を被せることによって構成されるパネルと、天板の下方に取り付けられるパネル支持具とを具備し、このパネル支持具の一部に設定した取付部にフレームの縦枠部をスライド可能に嵌め合わせ、その嵌め合い部における保持力のみによってパネルを、スライド範囲の任意ないしほぼ任意の位置に停止、保持させ得るようにしており、前記パネル支持具に前記パネルを、天板の一辺に沿って当該天板よりも下方に垂下する第１の使用位置と、前記天板の一辺に沿って当該天板の上方に少なくとも一部を突出させる第２の使用位置との間で位置変更可能に支持させたことを特徴とする。
【００１２】
このようにパネルを軽量簡素な構造にすることで、パネル支持具の負荷が軽減されて当該パネル支持具の軽量化も併せて図ることが可能になり、パネル支持具を天板の下方に取り付けても、第１、第２の使用位置の間でパネルを位置変更可能に支持できるようになる。その結果、天板面を侵さずに且つ着座者から視認され難い状態でパネル支持具を取り付け、このパネル支持具にパネルを支持させて、幕板やデスクトップパネルとして有効利用することが可能となる。さらに、パネル支持具の一部に設定した取付部にフレームの縦枠部をスライド可能に嵌め合わせ、その嵌め合い部における保持力のみによってパネルを、スライド範囲の任意ないしほぼ任意の位置に停止、保持させ得るようにしていることから、簡素な取付構造を通じてパネルの位置変更を実現し、同時に停止位置の自由度を高めることができる。
【００１３】
パネル支持具の好適な取付位置としては、天板が脚受けブラケットを介して脚支柱に支持されているテーブルにあっては、前記脚受けブラケットをパネル支持具の取り付け場所として利用することが好都合である。
【００１４】
また、上記とは別の態様の本発明のテーブルは、天板が脚受けブラケットを介して脚支柱に支持されるものにおいて、枠体状のフレームに袋状の張り地を被せることによって構成されるパネルと、天板の下方で前記脚受けブラケットに取り付けられるパネル支持具とを具備し、このパネル支持具に前記パネルを、天板の一辺に沿って当該天板よりも下方に垂下する第１の使用位置と、前記天板の一辺に沿って当該天板の上方に少なくとも一部を突出させる第２の使用位置との間で位置変更可能に支持させたことを特徴とする。この構成においても、パネルを軽量簡素な構造にすることで、パネル支持具の負荷が軽減されて当該パネル支持具の軽量化も併せて図ることが可能になり、パネル支持具を天板の下方に取り付けても、第１、第２の使用位置の間でパネルを位置変更可能に支持できるようになる。その結果、天板面を侵さずに且つ着座者から視認され難い状態でパネル支持具を取り付け、このパネル支持具にパネルを支持させて、幕板やデスクトップパネルとして有効利用することが可能となる。さらに、天板が脚受けブラケットを介して脚支柱に支持されているテーブルにあって、強度のある脚受けブラケットをパネル支持具の取り付け場所として利用することで、別段の取付具を不要にすることも可能となる。
【００１５】
パネルと天板の縁部との間隔を自由に設定可能とするためには、パネル支持具を天板の下面よりも低い位置に配置していることが望ましい。
【００１６】
さらに別の態様の本発明のテーブルは、天板が脚支柱に支持されるものにおいて、枠体状のフレームに袋状の張り地を被せることによって構成されるパネルと、天板の下方に取り付けられるパネル支持具とを具備し、前記パネルの幅寸法を一対の脚支柱の内法寸法よりも幅狭に設定するとともに、パネル支持具の取付部を可動にしており、前記パネル支持具に前記パネルを、天板の一辺に沿って当該天板よりも下方に垂下する第１の使用位置と、前記天板の一辺に沿って当該天板の上方に少なくとも一部を突出させる第２の使用位置と、前記天板の下面にほぼ重合する収納位置との間で位置変更可能に支持させたことを特徴とする。この構成においても、パネルを軽量簡素な構造にすることで、パネル支持具の負荷が軽減されて当該パネル支持具の軽量化も併せて図ることが可能になり、パネル支持具を天板の下方に取り付けても、第１、第２の使用位置の間でパネルを位置変更可能に支持できるようになる。その結果、天板面を侵さずに且つ着座者から視認され難い状態でパネル支持具を取り付け、このパネル支持具にパネルを支持させて、幕板やデスクトップパネルとして有効利用することが可能となる。さらに、天板が脚支柱に支持されるものにおいて、パネルの幅寸法を一対の脚支柱の内法寸法よりも幅狭に設定するとともに、パネル支持具の取付部を可動にしていることから、使用位置の設定自由度を高めることができる。また、パネル支持具が、パネルを天板の下面にほぼ重合する収納位置に位置変更させて支持し得るようにすることで、テーブルの機能にパネルを利用しない態様を含めることもできる。ここに言うほぼ重合とは、パネルが天板の下面に当接ないし近接している必要は必ずしもなく、ある程度離間した位置においてパネルの面と天板の下面とがほぼ平行となるように収納される態様も含まれる。
【００１７】
このような取付部の可動状態を有効に実現するためには、パネル支持具が、天板の下面に固定される固定ブラケットと、この固定ブラケットに回転可能且つ回転範囲の両端で係止可能に係り合う可動ブラケットとを具備し、この可動ブラケットの一部に前記取付部を設定していることが好ましい。
【００１８】
簡素な取付構造を通じてパネルの位置変更を実現し、同時に停止位置の自由度を高めるためには、パネル支持具の一部に設定した取付部にフレームの縦枠部をスライド可能に嵌め合わせ、その嵌め合い部における保持力のみによってパネルを、スライド範囲の任意ないしほぼ任意の位置に停止、保持させ得るようにしていることが好ましい。
【００１９】
好ましい実施の態様としては、取付部を樹脂により構成するとともに、フレームの縦枠部に樹脂製のレールを設け、これら取付部及びレールを樹脂の弾性を利用して凹凸で嵌め合わせているものが挙げられる。
【００２０】
パネル支持具を、着座した者に視認されない位置からパネルを適切に支持させるためには、当該パネル支持具の基端部を天板の下面に取り付け、当該パネル支持具の一部に設定した取付部を、天板の下肢空間から当該天板の縁部下方に向かって持ち出していることが望ましい。
【００２１】
以上のようなパネル構造及びパネル支持具によれば、天板が脚支柱を介して４点でキャスタに移動可能に支持された簡易なテーブルにも好適に適用が可能となる。
【００２２】
パネルが軽量簡素な構造であるか否かによらず、パネルの機能を高めるためには、天板の下方にパネル支持具を取り付け、このパネル支持具の一部に可動状態で取付部を設けて、この取付部にパネルをスライド可能に取り付け、当該パネルを、天板の下面にほぼ重合する収納位置と、天板の一辺に沿って当該天板よりも下方に垂下する第１の使用位置と、前記天板の一辺に沿って当該天板の上方に少なくとも一部を突出させる第２の使用位置との間で位置変更としておくことが効果的である。
【００２３】
この場合も、上記と同様の趣旨で、パネル支持具の一部に設定した取付部にフレームの縦枠部をスライド可能に嵌め合わせ、その嵌め合い部における保持力のみによってパネルをスライド範囲の任意ないしほぼ任意の位置に停止、保持させ得るようにする構成や、パネル支持具が、天板の下面に固定される固定ブラケットと、この固定ブラケットに回転可能且つ回転範囲の両端で係止可能に係り合う可動ブラケットとを具備し、この可動ブラケットの一部に前記取付部を設定している構成が有効となる。
【発明の効果】
【００２４】
本発明は、以上説明した構成ように、パネルを軽量簡素な構造にし、パネル支持具の負荷を軽減して当該パネル支持具の軽量化も併せて図ることができるため、パネル支持具を天板の下方に取り付けても、第１、第２の使用位置の間でパネルを無理なく位置変更可能に支持することができる。その結果、比較的簡素なテーブルに適用しても、着座者から視認され難い状態でパネル支持具を取り付けて幕板やデスクトップパネルとして活用することができ、使い勝手に優れたテーブルとして利用に供することが可能になる。
【図面の簡単な説明】
【００２５】
【図１】本発明の一実施形態を適用したテーブルを、パネルが第２の使用位置にある状態で示す斜視図。
【図２】同テーブルの部分背面図。
【図３】同パネルを支持するパネル支持具の分解斜視図。
【図４】同パネル支持具の作用説明図。
【図５】同テーブルを、パネルが第１の使用位置にある状態で示す斜視図。
【図６】同テーブルを、パネルが収納位置にある状態で示す斜視図。
【図７】パネル支持具の取付部とパネルのレールとの係り合い部分を示す部分拡大斜視図。
【図８】パネル支持具の要部を拡大して示す作用説明図。
【発明を実施するための形態】
【００２６】
以下、本発明の一実施形態を、図面を参照して説明する。
【００２７】
図１は、本実施形態を適用したテーブルＴを示している。このテーブルＴは、脚支柱１に支持された天板２の下方にパネル支持具３を配し、このパネル支持具３によってパネル４を、図５に示す第１の使用位置Ｐ、図１に示す第２の使用位置Ｑ、及び図６に示す収納位置Ｒの間で位置変更可能に支持したものである。
【００２８】
具体的に説明すると、テーブルＴは、図１及び図２に示すように、略正方形状をなす天板２の四隅における下面２ａに脚受けブラケット２１を取り付けたもので、各脚支柱１の上端１ａは脚受けブラケット２１に固定され、この脚受けブラケット２１を介して当該脚支柱１が天板２に連結されている。脚支柱１は下端にキャスタ１１を備えた概略棒状をなし、計４箇所で床上に自立可能に接地して天板２を移動可能に支持する。すなわち、このテーブルＴは脚側板のような大掛かりな脚構造を備えず、下肢空間Ｓが脚支柱１、１間から四方に開放された状態で天板２を水平に保持する比較的簡素な構造のものである。
【００２９】
パネル４は、図２及び図３に示すように、パイプ部材を接続してパイプ枠としたフレーム４１と、このフレーム４１全体を包むように覆い被せたメッシュ等により構成される袋状の張り地４２とを備えたもので、パネル４の幅寸法ｗ１は図２に示すように前記脚支柱１、１間の内法寸法ｗ２よりもやや小さい値に設定され、上下寸法ｈ１は図５に示すように天板２の下肢空間Ｓの所要範囲を目隠しする寸法（本実施形態では天板２の下面２ａからキャスタ−１１の近くまでを覆う寸法）に設定されている。袋状の張り地４２は図示しないファスナ等の簡易な開閉具によってフレーム４１の出し入れが可能とされる。図３に示すフレーム４１を構成する縦枠部４１ａには、パネル支持具３に向かって図３及び図７に示すような樹脂製のレール４０が取り付けられている。このレール４０は、断面が概略コ字形をなし、その溝底に挿し通したビス４０ａによって当該レール４０をパネル４の縦枠部４１ａに止着したものであり、ビス４０ａの両側に位置するレール４０の側縁４０ｂはパネル４から浮き上がることが可能な状態にある。レール４０の両端にはストッパ４０ｃ、４０ｄ（図３及び図４参照）が設けられている。
【００３０】
パネル支持具３は、図２及び図３に示すように、パネル４のフレーム４１を構成する左右の縦枠部４１ａを把持する一対の可動ブラケット３ａと、天板２の隣接する二隅の下方に固定される一対の固定ブラケット３ｂとから構成される。
【００３１】
可動ブラケット３ａは、板状の立壁部３１を主体とし、この立壁部３１の先端にパネルに対する取付部３２を設定した樹脂製のもので、取付部３２には前記レール４０を抱くように嵌り合う溝３２ａが設けてあり、立壁部３１の２箇所にはピン３０ａ、３０ｂを挿し通すためのピン挿通孔３１ａ、３１ｂが開口している。
【００３２】
一方、固定ブラケット３ｂは、板状の立壁部３３を主体とし、この立壁部３３の上端に脚受けブラケット２１への取付部３４を設けた樹脂製のもので、左右の固定ブラケット３ｂの立壁部３３、３３同士を対面させた状態で天板２から下方に垂下させて前記脚受けブラケット２１の下面にビス等により取り付けられる。立壁部３３の一部には部分円環状（概略Ｃ字状）のガイド孔３５が形成されている。ガイド孔３５の中心ｍからの距離ｒに対して、前記可動ブラケット３ａの２つのピン挿通孔３１ａ、３１ｂの離間距離ｄは、前述した２つのピン挿通孔３１ａ、３１ｂに挿通されるピン３０ａ、３０ｂがガイド孔３５内において、９０°〜１８０°の離間角度（本実施形態ではほぼ１５０°程度）で挿入される関係に設定してある。
【００３３】
このガイド孔３５は、前記ピン３０ａ、３０ｂが円滑に移動可能な幅に設定され、かつ図８に示すその両端部３５ａ、３５ｂは、ピン３０ａ、３０ｂの外周の半周以上の領域に密接するように部分丸孔状に設けてあり、主ガイド部３５ｃとの境界に括れ部３５ｄが形成してある。両端部３５ａ、３５ｂの隣接位置に設けた異型孔３５ｅ、３５ｆは、ピン３０ａ、３０ｂが両端部３５ａ、３５ｂに到達する際に一時的に括れ部３５ｄを押し開くために必要な弾性を当該括れ部３５ｄに与え、かつ両端部３５ａ、３５ｂの内周をピン３０ａ、３０ｂに密着させるために必要な柔軟性をそれら両端部３５ａ、３５ｂの内周に与えるためのものである。ガイド孔３５の主ガイド部３５ｃが中心ｍの円周上を上方に延びて最も高い位置を超えた部位に位置し、この一端部３５ａに到達した図８（ｂ）の状態にあるピン３０ａにパネル４の荷重が作用した場合に当該ピン３０ａを当該一端部３５ａに安定保持させる。また、他端部３５ｂはガイド孔３５の主ガイド部３５ｃが中心ｍの円周上を下方に延びて最も低い位置を超えた部位に位置し、この他端部３５ｂに到達した図８（ａ）の状態にあるピン３０ｂに他方のピン３０ａともどもパネル４の荷重が作用した場合に当該ピン３０ｂを他方のピン３０ａとともに端部３５ｂおよび主ガイド部３５ｃの中間部に安定保持させる。これらの保持状態からピン３０ａ、３０ｂに操作力が加えられ、少なくとも端部３５ａ、３５ｂの括れ部３５ｄを押し開くに足る操作力を上回ると、ピン３０ａ、３０ｂは端部３５ａ、３５ｂから離脱する。
【００３４】
そして、図２及び図３に示すように、左右の可動ブラケット３ａの立壁部３１を各々対応する固定ブラケット３ｂの立壁部３３の外側に重合させ、その際に後者の立壁部３３のガイド孔３５に挿通したピン３０ａ、３０ｂを前者の立壁部３１に設けたピン挿入孔３１ａ、３１ｂに圧入することによって、一対のピン３０ａ、３０ｂをガイド孔３５内で遊動可能として、ガイド孔３５の中心ｍが可動ブラケット３ａの回転支点となるようにしている。回転範囲は、一方のピン３０ａとガイド孔３５の一方の端部３５ａとが弾性的に係り合う図４（ａ）及び（ｂ）の位置と、他方のピン３０ｂとガイド孔３５の他方の端部３５ｂとが弾性的に係り合う図４（ｃ）の位置との間であり、可動ブラケット３ａが前記回転支点ｍ回りに固定ブラケット３ｂに対して略９０°回転し得るように設定している。
【００３５】
このように、固定ブラケット３ｂは天板２の下面２ａから垂下し、可動ブラケット３ａは更にその固定ブラケット３ｂから垂下するため、可動ブラケット３ａの取付部３２ともども可動ブラケット３ａ及び固定ブラケット３ｂは天板２の下面２ａを含みそれよりも常に低い位置に位置づけられることとなる。
【００３６】
そして、その可動ブラケット３ａの取付部３２に形成した溝３２ａに、パネル４に設けたレール４０を樹脂の弾性により凹凸で嵌め合わせ、その嵌め合い状態をスライド可能に維持している。
【００３７】
図３に示す溝３２ａとレール４０との嵌め合い構造は、種々の断面形状を採用することができるが、本実施形態では図７に示すように取付部３２の溝３２ａの開口縁３２ｂが開口を狭める方向に向いており、取付部３２がレール４０の側縁４０ｂの裏側に回り込んでレール４０を抱いた状態で嵌り合うように構成している。すなわち、取付部３２をレール４０に近づけて押し付けることにより、溝３２ａの開口縁３２ｂが一時的に押し開かれる方向に弾性変形して溝３２ａ内にレール４０を受容し、嵌まり合った後は溝３２ａの開きが小さくなる方向に取付部３２が弾性復元するものである。本実施形態のパネル４は、前述したように細径のパイプ枠からなるフレーム４１に袋状のメッシュ等からなる張り地４２を被せた軽量構造のものであり、溝３２ａとレール４０との滑り抵抗は、例えば図４（ａ）に示す状態で嵌め合い部にパネル４の荷重が作用したとしても、その嵌め合い部における保持力のみによって、パネル４が、スライド範囲の任意の位置に停止、保持される値に設定している。スライド範囲は、レール４０の両端に設けたストッパ４０ｃ、４０ｄに取付部３２が突き当たる位置の間である。
【００３８】
すなわち、一方のピン３０ａが図４（ａ）に示すようにガイド孔３５の一方の端部３５ａに弾性的に係り合った状態で、取付部３２の溝３２ａが、鉛直方向を向く姿勢で下肢空間Ｓから天板２の一辺（縁部）２ｂの下方（天板２の下面２ｂよりも低い位置）に持ち出される。そして、その溝３２ａにレール４０を嵌め合わせたパネル４は、上下スライド可能かつスライド方向の任意の位置で停止、保持される。このため、パネル４を図４（ｂ）に示すように下方へ移動させて取付部３２がレール４０の上側のストッパ４０ｃに突き当たった第１の使用位置Ｐでは、パネル４が図５に示すように天板２の一辺２ｂに沿って当該天板２の下方に垂下して天板２の下肢空間Ｓを遮る幕板として機能し、逆にパネル４を図４（ａ）に示すように上方へ移動させて取付部３２がレール４０の下側のストッパ４０ｄに突き当たった第２の使用位置Ｑでは、パネル４が図１に示すように天板２の一辺２ｂに沿って当該天板２の上方に一部を突出させて天板２上の作業空間Ａを遮るデスクトップパネルとして機能することとなる。また、取付部３２はレール４０に沿って両ストッパ４０ｃ、４０ｄ間の任意の位置で停止してパネル４を保持するため、パネル４をデスクトップパネル及び幕板として同時に機能する適宜の中間位置に保持することができる。
【００３９】
さらに、図４（ｂ）に示す第１の使用位置Ｐから、一方のピン３０ａとガイド孔３５の一方の端部３５ａとの係り合いを解除して、両ピン３０ａ、３０ｂをガイド孔３５に沿って移動させると、図４（ｂ）の位置から図４（ｃ）の位置に向かって可動ブラケット３ａとともにパネル４が前記支点ｍの回りに回転して下肢空間Ｓ側に折り畳まれ、他方のピン３０ｂとガイド孔３５の他方の端部３５ｂとが弾性的に係り合う図４（ｃ）の状態で、パネル４は天板２の下面２ａに略重合する収納位置Ｒに保持されることとなる。この状態では、パネル４は天板２の周囲からほとんど視認されず、天板２の下肢空間Ｓが四方に開放されるため、天板２の何れの縁部に着座してもパネル４との干渉が回避されることとなる。
【００４０】
勿論、パネル４が図４（ａ）の第２の使用位置Ｑないし中間位置にある状態から先に収納位置Ｒに向かって回転させ、その後にパネル４をスライド移動させて押し込む操作や、収納位置Ｒにあるパネル４を先にスライド移動させて引き出し、その後に図４（ａ）の第２の使用位置Ｑないし中間位置に回転させる操作等も可能である。
【００４１】
以上のように、本実施形態のテーブルＴは、枠体状のフレーム４１に袋状の張り地４２を被せることによって構成されるパネル４と、天板２の下方に取り付けられるパネル支持具３とを具備し、このパネル支持具３に前記パネル４を、天板２の一辺２ｂに沿って当該天板２よりも下方に垂下する第１の使用位置Ｐと、前記天板２の一辺２ｂに沿って当該天板２の上方に少なくとも一部を突出させる第２の使用位置Ｑとの間で位置変更可能に支持させたものである。
【００４２】
このようにパネル４を軽量簡素な構造にすることで、パネル支持具３の負荷が軽減されて当該パネル支持具３の軽量化も併せて図ることが可能になり、パネル支持具３を天板２の下方に取り付けても、第１、第２の使用位置Ｐ，Ｑの間でパネル４を位置変更可能に支持できるようになる。その結果、天板面を侵さずに且つ着座者から視認され難い状態でパネル支持具３を取り付け、このパネル支持具３にパネル４を支持させて、幕板やデスクトップパネルとして有効に活用することが可能となる。
【００４３】
特に、パネル支持具３を天板２の下面２ａよりも低い位置に配置しており、取付部３２が天板２の下面２ａよりも下方にあって天板２の縁部２ｂとパネル４との間にクランプ等が位置しないため、パネル４と天板２の縁部２ｂとの間の間隔Ｌ（図４（ａ）参照）を自由に設定することができ、隙間を極力ゼロに近づけるような取付状態も容易に可能となる。
【００４４】
また、パネル支持具３の一部に設定した取付部３２にフレーム４１の縦枠部４１ａをスライド可能に嵌め合わせ、その嵌め合い部における保持力のみによってパネル４を、スライド範囲の任意ないしほぼ任意の位置に停止、保持させ得るようにしているので、ローラ、ストッパ等のガイド要素やストッパー要素を不要にすることができ、また、パネル４を、幕板およびデスクトップパネルとして同時に利用するのに適した中間位置に自由に配置することが可能となる。
【００４５】
この場合、取付部３２を樹脂により構成するとともに、フレーム４１の縦枠部４１ａに樹脂製のレール４０を設け、これら取付部３２及びレール４０を樹脂の弾性を利用して凹凸で嵌め合わせているので、より簡素に嵌め合い構造、ひいてはガイド機能やストッパー機能を実現することができる。
【００４６】
さらに、パネル支持具３の基端部である固定ブラケット３ｂを天板２の下面２ａに取り付け、当該パネル支持具３の一部に設定した取付部３２を、天板２の下肢空間Ｓから当該天板２の縁部２ｂの下方に向かって持ち出しているので、パネル支持具３を着座した者に視認されない位置に配して見栄えの向上を図ることができる。そして、パネル４を天板２の一辺２ｂに沿って昇降可能とする構成を有効に実現することが可能となる。
【００４７】
また、本実施形態のテーブルＴは、天板２が脚受けブラケット２１を介して脚支柱１に支持される構造であることに着目し、前記脚受けブラケット２１にパネル支持具３を取り付けているので、テーブルＴの強度がある既設部分を利用してパネル支持具３を有効に取り付けることができ、クランプ等の別段の取付具を不要にすることができる。
【００４８】
さらにまた、上記のようなパネル支持構造であるから、本実施形態のテーブルＴのように、天板２が脚支柱１を介して４点でキャスタ１１に移動可能に支持された簡素なものにも有効に適用して、テーブルＴの機能を有効に高めることができる。
【００４９】
加えて、本実施形態のテーブルＴは、天板２が脚支柱１に支持されるものであり、パネル４の幅寸法ｗ１を一対の脚支柱１，１間の内法寸法ｗ２よりも幅狭に設定するとともに、パネル支持具３の取付部３２を可動にしているので、第２の使用位置Ｑから真っ直ぐ降下した位置に第１の使用位置Ｐを設置する以外に、第２の使用位置Ｑから真っ直ぐに降下した位置よりも下肢空間Ｓ側に変位させて脚支柱１，１間に第１の使用位置Ｐを設定する態様等も可能になる。
【００５０】
特に本実施形態では、このようなパネル支持具３の構造を利用して、パネル４を天板２の下面２ａにほぼ重合する収納位置Ｒに位置変更させて支持し得るようにしているので、パネル４を必要に応じて出し入れすることができ、一人用の執務机としても複数人が利用するミーティングテーブルとしても利用できるようになり、テーブルＴの更なる機能拡張を図ることが可能となる。
【００５１】
これらを実現すべく、パネル支持具３が、天板２の下面２ａに固定される固定ブラケット３ｂと、この固定ブラケット３ｂに回転可能且つ回転範囲の両端で係止可能に係り合う可動ブラケット３ａとを具備し、この可動ブラケット３ａの一部に前記取付部３２を設定しているので、簡素な構造で、パネル４の収納位置Ｒと使用位置Ｐ等との間での位置変更を有効に実現することができる。
【００５２】
勿論、パネルが軽量簡素な構造であるか否かによらず、天板２の下方にパネル支持具３を取り付け、このパネル支持具３の一部に可動状態で取付部３２を設けて、この取付部３２にパネル４をスライド可能に取り付け、当該パネル４を、天板２の下面２ａにほぼ重合する収納位置Ｒと、天板２の一辺２ｂに沿って当該天板２よりも下方に垂下する第１の使用位置Ｐと、前記天板２の一辺２ｂに沿って当該天板２の上方に少なくとも一部を突出させる第２の使用位置Ｑとの間で位置変更にすれば、パネル４の機能を有効に高めることができる。
【００５３】
この場合にも、パネル支持具３の一部に設定した取付部３２にフレーム４１の縦枠部４１ａをスライド可能に嵌め合わせ、その嵌め合い部における保持力のみによってパネル４を、スライド範囲の任意ないしほぼ任意の位置に停止、保持させ得るように構成したり、或いは、パネル支持具３が、天板２の下面２ａに固定される固定ブラケット３ｂと、この固定ブラケット３ｂに回転可能且つ回転範囲の両端で係止可能に係り合う可動ブラケット３ａとを具備し、この可動ブラケット３ａの一部に前記取付部３２を設定するようにすれば、上述したと同様の作用効果を奏することが可能である。
【００５４】
なお、各部の具体的な構成は、上述した実施形態のみに限定されるものではなく、本発明の趣旨を逸脱しない範囲で種々変形が可能である。
【符号の説明】
【００５５】
１…脚支柱
２…天板
２ａ…下面
２ｂ…一辺、縁部
３…パネル支持具
３ａ…可動ブラケット
３ｂ…基端部（固定ブラケット）
４…パネル
１１…キャスタ
２１…脚受けブラケット
３２…取付部
４０…レール
４１…フレーム
４１ａ…縦枠部
４２…張り地
Ｐ…第１の使用位置
Ｑ…第２の使用位置
Ｒ…収納位置
Ｔ…テーブル
ｗ１…パネルの幅寸法
ｗ２…脚支柱間の内法寸法
【図１】
0005510918.tif 000002
【図２】
0005510918.tif 000003
【図３】
0005510918.tif 000004
【図４】
0005510918.tif 000005
【図５】
0005510918.tif 000006
【図６】
0005510918.tif 000007
【図７】
0005510918.tif 000008
【図８】
0005510918.tif 000009